(57)【要約】      （修正有）【課題】電気外科用発電機を提供する。【解決手段】発電機２０は、周波数電気外科波形を生成するように構成される出力ステージを含む。ブリッジ整流器１０２は、出力ステージに連結され、無線周波数電気外科波形を通過させ、および無線周波数電気外科波形の少なくとも一部を直流に変換するように構成される。発電機２０はまた、直流の振幅を測定するように構成される絶縁電流センサ１００をも含む。また、電気外科手術のための方法も企図される。方法は、出力ステージから１つ以上の対の電極に、少なくとも１つの無線周波数電気外科波形を供給するステップと、ブリッジ整流器を通して一対の電極に、少なくとも１つの無線周波数電気外科波形を渡すステップと、少なくとも１つの無線周波数電気外科波形の少なくとも一部を直流に変換するステップと、直流の電流を測定するステップとを含む。【選択図】図３
2012192189.tif 000002
【特許請求の範囲】
【請求項１】
少なくとも１つの無線周波数電気外科波形を生成するように構成される出力ステージと、
該出力ステージに連結されるブリッジ整流器であって、該少なくとも１つの無線周波数電気外科波形を通過させ、該少なくとも１つの無線周波数電気外科波形の少なくとも一部を直流に変換するように構成されるブリッジ整流器と、
該直流の振幅を測定するように構成される絶縁電流センサと
を備える、電気外科用発電機。
【請求項２】
前記絶縁電流センサは、ホール効果センサである、請求項１に記載の電気外科用発電機。
【請求項３】
前記ブリッジ整流器は、前記出力ステージと負荷との間に連結される第１および第２の出力端子を含む、請求項１に記載の電気外科用発電機。
【請求項４】
前記ブリッジ整流器は、少なくとも１つの連結部材によって相互接続される第１の入力端子と第２の入力端子とを含む、請求項１に記載の電気外科用発電機。
【請求項５】
前記絶縁電流センサは、前記少なくとも１つの連結部材の近くに配置されるホール効果センサである、請求項４に記載の電気外科用発電機。
【請求項６】
前記絶縁電流センサに連結されるコントローラをさらに備え、該コントローラは、該絶縁電流センサによって測定される前記直流に基づいて、前記少なくとも１つの無線周波数電気外科波形の無線周波数電流を決定するように構成される、請求項１に記載の電気外科用発電機。
【請求項７】
負荷に連結される少なくとも一対の電極と、
該少なくとも一対の電極に連結される出力ステージであって、少なくとも１つの無線周波数電気外科波形を生成するように構成される出力ステージと、
該出力ステージに連結されるブリッジ整流器であって、該少なくとも１つの無線周波数電気外科波形を通過させ、および該少なくとも１つの無線周波数電気外科波形の少なくとも一部を直流に変換するように構成されるブリッジ整流器と、
該直流の振幅を測定するように構成される絶縁電流センサと
を備える、電気外科システム。
【請求項８】
前記絶縁電流センサは、ホール効果センサである、請求項７に記載の電気外科システム。
【請求項９】
前記ブリッジ整流器は、前記出力ステージと負荷との間に連結される第１および第２の出力端子を含む、請求項７に記載の電気外科システム。
【請求項１０】
前記ブリッジ整流器は、少なくとも１つの連結部材によって相互接続される第１の入力端子と第２の入力端子とを含む、請求項７に記載の電気外科システム。
【請求項１１】
前記絶縁電流センサは、前記少なくとも１つの連結部材の近くに配置されるホール効果センサである、請求項１０に記載の電気外科システム。
【請求項１２】
前記絶縁電流センサに連結されるコントローラをさらに備え、該コントローラは、該絶縁電流センサによって測定される前記直流に基づいて、前記少なくとも１つの無線周波数電気外科波形の無線周波数電流を決定するように構成される、請求項７に記載の電気外科システム。
【発明の詳細な説明】
【技術分野】
【０００１】
（発明の分野）
本開示は、電気外科装置、システム、および方法に関する。より具体的には、本開示は、絶縁電流センサを有する電気外科装置に関する。
【背景技術】
【０００２】
エネルギーに基づく組織治療が、当技術分野において周知である。種々の種類のエネルギー（例えば、電気、超音波、マイクロ波、低温、熱、レーザ等）が、所望の結果を達成するために組織に印加される。電気外科手術は、組織を切断、切除、凝固、または封止するために高無線周波数電流、マイクロ波エネルギー、または抵抗加熱を外科部位に印加することを含む。
【０００３】
双極電気外科手術において、手持式器具の電極のうちの一方は、活性電極として機能し、他方は、戻り電極として機能する。戻り電極は、電気回路が２つの電極（例えば、電気外科鉗子）の間に形成されるように、活性電極に極近くに設置される。このように、印加された電流は、電極の間に位置している身体組織に限定される。
【０００４】
双極電気外科技法および器具は、血管または組織、例えば、肺、脳、および腸等の軟組織構造を凝固させるために使用することができる。外科医は、電極の間で組織を通して印加される電気外科エネルギーの強度、周波数、および持続時間を制御することによって、焼灼、凝固／乾燥させ、および／または単に出血を減少または緩和させることができる。外科部位において組織の不要な炭化を引き起こすことなく、または、隣接組織への付随する損傷、例えば、熱拡散を引き起こすことなく、これらの所望の外科的効果のうちの１つを達成するために、例えば、電力、波形、電圧、電流、パルス速度等の電気外科用発電機からの出力を制御することが必要である。
【０００５】
単極電気外科手術において、活性電極は、一般的に、治療される組織に適用される、外科医によって保持される外科器具の一部である。患者の戻り電極は、電流を発電機に戻し、活性電極によって印加された電流を安全に分散させるために、活性電極から離れて設置される。戻り電極は、通常、その部位における加熱を最小にするために、大きい患者接触表面積を有する。加熱は、表面積に直接依存する高電流密度によって引き起こされる。より大きい表面接触面積は、より低い局部加熱強度をもたらす。戻り電極は、一般的に、特定の外科的処置中に利用される最大電流および負荷サイクル（すなわち、発電機がオンである時間の割合）の想定に基づいてサイズ決定される。
【発明の概要】
【課題を解決するための手段】
【０００６】
本開示の一実施形態に従って、電気外科用発電機が開示される。発電機は、周波数電気外科波形を生成するように構成される出力ステージを含む。ブリッジ整流器は、出力ステージに連結されており、無線周波数電気外科波形を通過させ、および無線周波数電気外科波形の少なくとも一部を直流に変換するように構成される。発電機はまた、直流の振幅を測定するように構成される絶縁電流センサをも含む。
【０００７】
本開示の別の実施形態に従って、電気外科システムが開示される。システムは、負荷に連結される１つ以上の対の電極と、一対の電極に連結される出力ステージであって、少なくとも１つの無線周波数電気外科波形を生成するように構成される出力ステージと、出力ステージに連結されており、少なくとも１つの無線周波数電気外科波形を通過させ、および少なくとも１つの無線周波数電気外科波形の少なくとも一部を直流に変換するように構成されるブリッジ整流器と、直流の振幅を測定するように構成される絶縁電流センサとを含む。
【０００８】
本開示に従って、電気外科手術のための方法もまた企図される。方法は、出力ステージから１つ以上の対の電極に少なくとも１つの無線周波数電気外科波形を供給するステップと、ブリッジ整流器を介して少なくとも１つの無線周波数電気外科波形を一対の電極に渡すステップと、少なくとも１つの無線周波数電気外科波形の少なくとも一部を直流に変換するステップと、直流の電流を測定するステップとを含む。
【０００９】
例えば、本発明は以下の項目を提供する。
（項目１）
少なくとも１つの無線周波数電気外科波形を生成するように構成される出力ステージと、
該出力ステージに連結されるブリッジ整流器であって、該少なくとも１つの無線周波数電気外科波形を通過させ、該少なくとも１つの無線周波数電気外科波形の少なくとも一部を直流に変換するように構成されるブリッジ整流器と、
該直流の振幅を測定するように構成される絶縁電流センサと
を備える、電気外科用発電機。
（項目２）
上記絶縁電流センサは、ホール効果センサである、上記項目に記載の電気外科用発電機。
（項目３）
上記ブリッジ整流器は、上記出力ステージと負荷との間に連結される第１および第２の出力端子を含む、上記項目のうちのいずれかに記載の電気外科用発電機。
（項目４）
上記ブリッジ整流器は、少なくとも１つの連結部材によって相互接続される第１の入力端子と第２の入力端子とを含む、上記項目のうちのいずれかに記載の電気外科用発電機。
（項目５）
上記絶縁電流センサは、上記少なくとも１つの連結部材の近くに配置されるホール効果センサである、上記項目のうちのいずれかに記載の電気外科用発電機。
（項目６）
上記絶縁電流センサに連結されるコントローラをさらに備え、該コントローラは、該絶縁電流センサによって測定される上記直流に基づいて、上記少なくとも１つの無線周波数電気外科波形の無線周波数電流を決定するように構成される、上記項目のうちのいずれかに記載の電気外科用発電機。
（項目７）
負荷に連結される少なくとも一対の電極と、
該少なくとも一対の電極に連結される出力ステージであって、少なくとも１つの無線周波数電気外科波形を生成するように構成される出力ステージと、
該出力ステージに連結されるブリッジ整流器であって、該少なくとも１つの無線周波数電気外科波形を通過させ、および該少なくとも１つの無線周波数電気外科波形の少なくとも一部を直流に変換するように構成されるブリッジ整流器と、
該直流の振幅を測定するように構成される絶縁電流センサと
を備える、電気外科システム。
（項目８）
上記絶縁電流センサは、ホール効果センサである、上記項目のうちのいずれかに記載の電気外科システム。
（項目９）
上記ブリッジ整流器は、上記出力ステージと負荷との間に連結される第１および第２の出力端子を含む、上記項目のうちのいずれかに記載の電気外科システム。
（項目１０）
上記ブリッジ整流器は、少なくとも１つの連結部材によって相互接続される第１の入力端子と第２の入力端子とを含む、上記項目のうちのいずれかに記載の電気外科システム。
（項目１１）
上記絶縁電流センサは、上記少なくとも１つの連結部材の近くに配置されるホール効果センサである、上記項目のうちのいずれかに記載の電気外科システム。
（項目１２）
上記絶縁電流センサに連結されるコントローラをさらに備え、該コントローラは、該絶縁電流センサによって測定される上記直流に基づいて、上記少なくとも１つの無線周波数電気外科波形の無線周波数電流を決定するように構成される、上記項目のうちのいずれかに記載の電気外科システム。
（項目１−ａ）  
少なくとも１つの無線周波数電気外科波形を生成するように構成される出力ステージと、
該出力ステージに連結されるブリッジ整流器であって、該少なくとも１つの無線周波数電気外科波形を通過させ、および該少なくとも１つの無線周波数電気外科波形の少なくとも一部を直流に変換するように構成されるブリッジ整流器と、
該直流の振幅を測定するように構成される絶縁電流センサと
を備える、電気外科用発電機。
（項目２−ａ）
上記絶縁電流センサは、ホール効果センサである、上記項目に記載の電気外科用発電機。
（項目３−ａ）
上記ブリッジ整流器は、上記出力ステージと負荷との間に連結される第１および第２の出力端子を含む、上記項目のうちのいずれかに記載の電気外科用発電機。
（項目４−ａ）
上記ブリッジ整流器は、少なくとも１つの連結部材によって相互接続される第１の出力端子と第２の入力端子とを含む、上記項目のうちのいずれかに記載の電気外科用発電機。
（項目５−ａ）
上記絶縁電流センサは、上記少なくとも１つの連結部材の近くに配置されるホール効果センサである、請求項４に記載の電気外科用発電機。
（項目６−ａ）
上記絶縁電流センサに連結されるコントローラをさらに備え、該コントローラは、該絶縁電流センサによって測定される上記直流に基づいて、上記少なくとも１つの無線周波数電気外科波形の無線周波数電流を決定するように構成される、上記項目のうちのいずれかに記載の電気外科用発電機。
（項目７−ａ）
負荷に連結される少なくとも一対の電極と、
該少なくとも一対の電極に連結される出力ステージであって、少なくとも１つの無線周波数電気外科波形を生成するように構成される出力ステージと、
該出力ステージに連結されるブリッジ整流器であって、該少なくとも１つの無線周波数電気外科波形を通過させ、および該少なくとも１つの無線周波数電気外科波形の少なくとも一部を直流に変換するように構成されるブリッジ整流器と、
該直流の振幅を測定するように構成される絶縁電流センサと
を備える、電気外科システム。
（項目８−ａ）
上記絶縁電流センサは、ホール効果センサである、上記項目のうちのいずれかに記載の電気外科システム。
（項目９−ａ）
上記ブリッジ整流器は、上記出力ステージと負荷との間に連結される第１および第２の出力端子を含む、上記項目のうちのいずれかに記載の電気外科システム。
（項目１０−ａ）
上記ブリッジ整流器は、少なくとも１つの連結部材によって相互接続される第１の入力端子と第２の入力端子とを含む、上記項目のうちのいずれかに記載の電気外科システム。
（項目１１−ａ）
上記絶縁電流センサは、上記少なくとも１つの連結部材の近くに配置されるホール効果センサである、上記項目のうちのいずれかに記載の電気外科システム。
（項目１２−ａ）
上記絶縁電流センサに連結されるコントローラをさらに備え、該コントローラは、該絶縁電流センサによって測定される上記直流に基づいて、上記少なくとも１つの無線周波数電気外科波形の無線周波数電流を決定するように構成される、上記項目のうちのいずれかに記載の電気外科システム。
（項目１３−ａ）
少なくとも１つの無線周波数電気外科波形を出力ステージから少なくとも一対の電極に供給することと、
該少なくとも１つの無線周波数電気外科波形をブリッジ整流器を通して該少なくとも一対の電極に渡すことと、
該少なくとも１つの無線周波数電気外科波形の少なくとも一部を直流に変換することと、
該直流の電流を測定することと
を含む、電気外科手術のための方法。
（項目１４−ａ）
上記ブリッジ整流器は、上記出力ステージと負荷との間に連結される第１および第２の出力端子を含む、上記項目のうちのいずれかに記載の方法。
（項目１５−ａ）
上記ブリッジ整流器は、少なくとも１つの連結部材によって相互接続される第１の竜力端子と第２の入力端子とを含む、上記項目のうちのいずれかに記載の方法。
（項目１６−ａ）
上記測定することは、絶縁電流センサによって上記直流を検出することを含む、上記項目のうちのいずれかに記載の方法。
（項目１７−ａ）
上記絶縁電流センサは、上記少なくとも１つの連結部材の近くに配置されるホール効果センサである、上記項目のうちのいずれかに記載の方法。
（項目１８−ａ）
測定された直流に対応する信号をコントローラに伝送することをさらに含む、上記項目のうちのいずれかに記載の方法。
（項目１９−ａ）
測定された直流に対応する上記信号に基づいて、上記少なくとも１つの無線周波数電気外科波形の無線周波数電流を決定することをさらに含む、上記項目のうちのいずれかに記載の方法。
（要旨）
電気外科用発電機が開示される。発電機は、周波数電気外科波形を生成するように構成される出力ステージを含む。ブリッジ整流器は、出力ステージに連結され、無線周波数電気外科波形を通過させ、および無線周波数電気外科波形の少なくとも一部を直流に変換するように構成される。発電機はまた、直流の振幅を測定するように構成される絶縁電流センサをも含む。
【図面の簡単な説明】
【００１０】
本開示の種々の実施形態を、添付の図面を参照して本明細書で説明する。
【図１】図１は、本開示に従う電気外科システムの概略ブロック図である。
【図２】図２は、本開示に従う図１の電気外科用発電機の概略図である。
【図３】図３は、本開示に従う絶縁電流の概略図である。
【図４】図４は、本開示に従う方法のフローチャートである。
【発明を実施するための形態】
【００１１】
本開示の特定の実施形態を添付の図面を参照して以下に説明する。以下の説明において、周知の機能または構成は、不必要に詳述することによって本開示を不明瞭にすることを避けるために、詳細は説明されない。
【００１２】
本開示による発電機は、血管閉鎖処置を含む、単極および／または双極の電気外科的処置を実施することができる。発電機は、種々の電気外科器具（例えば、単極器具、戻り電極、双極電気外科鉗子、フットスイッチ等）とインターフェースをとるための複数の出力を含んでもよい。さらに、発電機は、種々の電気外科モード（例えば、切断、融合、分割等）および処置（例えば、単極、双極、血管閉鎖）に特に適している無線周波数エネルギーを生成するように構成される電子回路を含む。実施形態において、発電機は、埋め込まれるか、組み込まれるか、または電気外科器具に連結されて、一体型電気外科装置を提供してもよい。
【００１３】
図１は、本開示による双極および単極電気外科システム１の概略図である。システム１は、患者の組織を治療するための１つ以上の電極（例えば、電気外科切断プローブ、切除電極等）を有する１つ以上の単極電気外科器具２を含んでもよい。電気外科エネルギーは、発電機２０の活性端子３０（図３）に接続される供給ライン４を介して発電機２０によって器具２に供給され、器具２は、組織を凝固、切除、および／あるいは治療することを可能にする。エネルギーは、発電機２０の戻り端子３２（図３）において、戻りライン８を介して戻り電極６を通って発電機２０に戻される。システム１は、患者との全接触面積を最大にすることによって、組織損傷の可能性を最小にするように患者に配置される複数の戻り電極６を含んでもよい。加えて、発電機２０および戻り電極６は、いわゆる「組織から患者」への接触を監視し、それらの間に十分な接触が存在することを確実にして、組織損傷の可能性をさらに最小にするように構成されてもよい。
【００１４】
システム１はまた、患者の組織を治療するための１つ以上の電極を有する双極電気外科鉗子１０を含んでもよい。電気外科鉗子１０は、対向する顎部材を含み、顎部材は、その中に配置される１つ以上の活性電極１４および戻り電極１６を有する。活性電極１４および戻り電極１６は、活性および戻り端子３０、３２にそれぞれ連結される供給および戻りライン４、８を含むケーブル１８を介して、発電機２０に接続される。電気外科鉗子１０は、ケーブル１８の端に配置されるプラグを介して、活性および戻り端子３０および３２に対する接続部（例えば、ピン）を有するコネクタにおいて、発電機２０に連結され、プラグは、供給および戻りライン４、８からの接点を含む。
【００１５】
実施形態において、発電機２０は、可搬式発電機として構成されてもよく、または電気外科器具２または電気外科鉗子１０内に着脱可能に、または別様に収容されてもよい。発電機２０は、任意の適した種類のもの（例えば、電気外科、マイクロ波等）であってもよく、発電機２０を制御するための複数の好適な入力制御（例えば、ボタン、アクティベータ、スイッチ、タッチスクリーン等）を含んでもよい。制御は、発電機２０上に、または電気外科器具２または電気外科鉗子１０の上に配置されてもよい。
【００１６】
図２は、電気外科エネルギーを出力するように構成される発電機２０の概略ブロック図を示す。別の実施形態において、発電機２０は、マイクロ波アンテナ、超音波鉗子、レーザ、抵抗加熱電極等の、種々の他の組織治療デバイスに電力供給するために、マイクロ波、レーザ等の他の種類のエネルギーを出力するように構成されてもよい。発電機２０は、コントローラ２４、電源２７、および出力ステージ２８を含む。電源２７は、直流高圧電源であってもよく、交流電源（例えば、壁の電気コンセント）に接続され、および高圧直流電力を出力ステージ２８に提供し、次に、出力ステージ２８は、高圧直流電力を治療エネルギー（例えば、超音波、電気外科、またはマイクロ波）に転換し、およびエネルギーを活性端子３０に送達する。エネルギーは、戻り端子３２を介して出力ステージに戻される。出力ステージ２８は、複数のモードで動作するように構成され、その間、発電機２０は、特定の負荷サイクル、ピーク電圧、波高率等を有する対応波形を出力する。別の実施形態において、発電機２０は、他の種類の好適な電源トポロジに基づいてもよい。
【００１７】
コントローラ２４は、揮発性メモリ（例えば、ＲＡＭ）および／または不揮発性メモリ（例えば、フラッシュ媒体、ディスク媒体等）であってもよいメモリ２６に動作可能に接続されるマイクロプロセッサ２５を含む。マイクロプロセッサ２５は、電源２７および／または出力ステージ２８に動作可能に接続される出力ポートを含み、マイクロプロセッサ２５が、開および／または閉制御ループスキームのいずれかに従って発電機２０の出力を制御することを可能にする。当業者は、マイクロプロセッサ２５が、本明細書において論じられる計算を実施するように適合される任意の論理プロセッサ（例えば、制御回路）によって代替されてもよいことを理解する。
【００１８】
閉ループ制御スキームは、複数のセンサが、種々の組織およびエネルギー特性（例えば、組織インピーダンス、組織温度、出力電力、電流および／または電圧等）を測定し、およびコントローラ２４にフィードバックを提供するフィードバック制御ループである。そのようなセンサは、従来技術の範囲内にある。次いで、コントローラ２４は、電源２７および／または出力ステージ２８に信号を送り、電源２７および／または出力ステージ２８は、次いで、直流および／または電源をそれぞれ調整する。コントローラ２４はまた、発電機２０、器具２、または鉗子１０の入力制御から入力信号も受信する。コントローラ２４は、発電機２０によって出力される電力を調整および／またはその他の制御機能を実施するために、入力信号を利用する。
【００１９】
交流を感知するためのシステムおよび方法は、分流抵抗器、コンデンサ、変流器等の非常に低い抵抗素子を含んでもよい。一部の電流センサ設計は、電気外科的処置と関連する安全上の必要条件によって限定される。特に、電気外科用途において、感知回路を大きい電圧から保護するために、または結合雑音および干渉を減少させるために、電圧絶縁バリアが望ましいか、または必要とされる。これは、絶縁バリアをブリッジするために、光カプラ等の付加的な絶縁回路構成要素を使用することなく、上記に詳述されるような分流抵抗器およびコンデンサを感知目的で使用することを防ぐ。
【００２０】
一実施形態において、変流器または他のセンサが使用されてもよい。変流器は、特に、高周波数においては、種々のサイズ、様々な効率であってもよい。しかしながら、変流器は、小型化には向いていない。したがって、ホール効果デバイスまたは非常に小さい設置面積を有する光カプラが使用されてもよい。しかしながら、そのようなデバイスは、低い周波数応答を受ける。約１００ｋＨｚ以上の交流電流信号に対して、ホール効果デバイスは、電流を直接感知するために使用される場合には、特により高い電流適用において、特に互換性がない。約１００ｋＨｚ乃至約２ＭＨｚの周波数に対するこれらの制限に起因して、約２００ｋＨｚ乃至約１ＭＨｚの実施形態において、電流感知変換器もホール効果センサも小型化が必要とされる場合には有用ではない。
【００２１】
本開示は、小型化電流センサに関わる問題を克服し、小型化され、および約２００ｋＨｚ乃至約１ＭＨｚの実施形態において約１００ｋＨｚ乃至約２ＭＨｚの周波数で動作する、絶縁電流センサを提供する。図３に示されるように、発電機２０は、負荷１０４と電力源１０６との間に配置されるブリッジ整流器１０２に連結される絶縁電流センサ１００を含む。電力源１０６は、活性および戻り端子３０および３２を通る出力ステージ２８のエネルギー出力を表す。負荷１０４は、電気外科鉗子１０によって保持されている組織等の、電力源１０６のエネルギーが伝送される任意の抵抗負荷であってもよい。
【００２２】
活性端子３０を通って、第１の入力端子１０３ａが電力源１０６に連結され、第２の入力端子１０３ｂが負荷１０４に連結される、第１および第２の入力端子１０３ａおよび１０３ｂを含むブリッジ整流器１０２が、４つのダイオード１０２ａ、１０２ｂ、１０２ｃ、１０２ｄの全波ダイオードブリッジとして示される。ブリッジ整流器１０２はまた、第１および第２の出力端子１０３ｃおよび１０３ｄを相互接続する任意の導体素子であってもよい連結部材１０１を通って絶縁電流センサ１００に連結される、第１および第２の出力端子１０３ｃおよび１０３ｄも含む。実施形態において、ダイオード１０２ａ、１０２ｂ、１０２ｃ、１０２ｄは、実質的に一方向に電流を伝導するように構成される理想ダイオード等の、任意の適した回路素子または構成であってもよい。
【００２３】
動作時、ブリッジ整流器１０２は、電力源１０６から負荷１０４に伝送される交流（例えば、無線周波数）エネルギーの交流特性を変化させることなく、絶縁電流センサ１００に直流電流を提供する。特に、ブリッジ整流器１０２は、交流電流が通過すること、電力源１０６からの交流電流の一部を直流電流に変換することを可能にし、直流電流は、次いで、負荷１０４が交流電流によって依然として供給されている間、絶縁電流センサ１００によって感知される。
【００２４】
交流電流は、プッシュプル方式で動作するので、プッシュまたは正サイクルの間、交流電流は、活性端子３０から戻り端子３２に流れ、すなわち、交流電流は、ダイオード１０２ｃを通って絶縁電流センサ１００に流れ、次いで、ダイオード１０２ａを通って負荷１０４および戻り端子３２に流れる。プルまたは負サイクルの間、交流電流は、戻り端子３２から活性端子３０に流れ、すなわち、交流電流は、ダイオード１０２ｂを通って絶縁電流センサ１００に流れ、次いで、ダイオード１０２ｄを通って電力源１０６に戻る。
【００２５】
対のダイオード１０２ａおよび１０２ｃならびに１０２ｂおよび１０２ｄは、交流電流を直流電流に変換し、直流電流は、次いで、絶縁電流センサ１００によって測定される。実施形態において、絶縁電流センサ１００は、ホール効果センサであってもよく、または電力源１０６および負荷１０４の交流特性を変化させない任意の他のより低い周波数感知デバイスであってもよい。絶縁電流センサ１００は、連結部材１０１を通して伝送される電流の変化によって引き起こされる磁場の変動を測定する。実施形態において、絶縁電流センサ１００は、ホール効果センサの感度に基づいて、連結部材１０１の近くに配置され、それらの間の物理的接触の必要性を除去する。したがって、絶縁電流センサ１００は、回路を妨害することなく、転換された直流電流を測定するため、電力源１０６および負荷１０４に透過的である。電流センサ１００は、コントローラ２４に連結され、直流の測定された振幅に対応する信号を該コントローラ２４に供給する。コントローラ２４は、電力源１０６の交流出力を転換された直流電流と相関させる任意の種類の処理関数を使用することによって、電流信号を処理してもよい。出力された交流電流を反映している測定された直流電流は、アルゴリズム制御、用量誤差チェック、および他の出力検証を含む、種々の方法で使用されてもよい。
【００２６】
図４は、本開示に従う方法２００のフローチャートを示す。方法は、例えば、出力ステージ２８等の電力源１０６が、交流無線周波数治療用電気外科エネルギーを、例えば、患者組織等の負荷１０４に出力するステップ２０２を含む。ステップ２０４において、エネルギーが負荷１０４に伝送されると、ブリッジ整流器１０２は、交流電流の一部を直流に変換し、直流は、次いで、縁電流センサ１００に伝送される。ステップ２０６において、絶縁電流センサ１００は、連結部材１０１を通って伝送される直流電流の変動を測定する。ステップ２０８において、電流センサ１００は、直流電流信号をコントローラ２４に伝送し、コントローラ２４は、次いで、ステップ２１０において、実際の交流電流出力を決定するために信号を交流電流と相関させる。
【００２７】
本開示のいくつかの実施形態を図面に示し、および／または本明細書において説明したが、本開示は、それらに限定されることを意図するものではなく、本開示は、当技術分野が許容するものと同程度に対象範囲は広く、本明細書は同様に解釈されることを意図するものである。したがって、上記の説明は、限定するものとして解釈されるのではなく、単に特定の実施形態の例示として解釈されるべきである。当業者は、本明細書に添付されている特許請求の範囲および精神内において、別の変更を想定するであろう。
【図１】
2012192189.tif 000003
【図２】
2012192189.tif 000004
【図３】
2012192189.tif 000005
【図４】
2012192189.tif 000006
【外国語明細書】
2012192189000001.pdf